(57)【要約】【課題】  簡単にデータをサーバーに格納し、読み出し出来るデータ格納システムを提供する。【解決手段】  データ格納システム１は、サーバー４０を備える。ネットワークを介してサーバー４０にアクセスするための文字列をコード化したコードを含むコード印刷物２０を備える。コードを、文字列に変換し、文字列に基づいてサーバーにアクセスする端末３１を備える。端末３１は、文字列に基づいてサーバー４０にアクセスした状態で、データをサーバー４０に送信する。サーバー４０は、文字列と端末３１の識別情報に関連づけた状態で、端末３１からのデータを記録するサーバー記録部４０ｃを有する。端末３１は、文字列に基づいてサーバー４０にアクセスした状態で、サーバー記録部４０ｃに記録されたデータであって、文字列と端末３１の識別情報に関連づけられたものを出力する出力部３１ｄを有する。【選択図】  図１
2020064431.tif 000002
【特許請求の範囲】
【請求項１】
サーバーと、
ネットワークを介して前記サーバーにアクセスするための文字列をコード化したコードを含むコード印刷物と、
前記コードを、前記文字列に変換し、前記文字列に基づいて前記サーバーにアクセスする端末とを備え、
前記端末は、前記文字列に基づいて前記サーバーにアクセスした状態で、データを前記サーバーに送信し、
前記サーバーは、前記文字列と前記端末の識別情報に関連づけた状態で、前記端末からの前記データを記録するサーバー記録部を有し、
前記端末は、前記文字列に基づいて前記サーバーにアクセスした状態で、前記サーバー記録部に記録されたデータであって、前記文字列と前記端末の識別情報に関連づけられたものを出力する出力部を有する、データ格納システム。
【請求項２】
前記文字列は、前記端末にインストールされた、前記サーバーにアクセスするためのソフトウエアのログイン情報を含む、請求項１に記載のデータ格納システム。
【請求項３】
前記コード印刷物は、被梱包物を封止した状態で収納する封止物に、前記被梱包物を封止した後も外部から見える状態で設けられるものであり、
前記サーバー記録部に記録されるデータは、前記被梱包物に関する情報である、請求項１に記載のデータ格納システム。
【請求項４】
前記サーバー記録部に記録されるデータは、前記封止物に封止される前に撮影して得られた前記被梱包物を被写体とした画像の画像データである、請求項３に記載のデータ格納システム。
【請求項５】
前記データは、画像データであり、
前記文字列と前記端末の識別情報に関連づけた状態で、前記端末からのデータが未だ前記サーバー記録部に記録されていない状態で、前記端末が前記文字列に基づいて前記サーバーにアクセスした場合には、前記出力部は、スルー画像を優先的に表示し、
前記文字列と前記端末の識別情報に関連づけた状態で、前記端末からのデータが既に前記サーバー記録部に記録されている状態で、前記端末が前記文字列に基づいて前記サーバーにアクセスした場合には、前記出力部は、前記サーバー記録された画像データに関する情報を優先的に表示する、請求項１に記載のデータ格納システム。
【請求項６】
前記端末とは別の端末は、前記端末から前記サーバーを介して許可情報を受けた場合に、前記コードを読み取った状態で、前記サーバー記録部に記録されたデータであって、前記文字列と前記端末の識別情報に関連づけられたものを出力する、請求項１に記載のデータ格納システム。
【請求項７】
前記許可情報を受ける前に、前記別の端末から前記サーバーを介して前記端末に、前記別の端末の電話番号と使用者名称の少なくとも一方に関する情報が送信される、請求項６に記載のデータ格納システム。
【請求項８】
ネットワークを介してサーバーにアクセスするための文字列をコード化したコードを含むコード印刷物が設けられ、被梱包物を封止した状態で収納する封止物であって、
前記コード印刷物は、前記被梱包物を封止した後も外部から見える状態で設けられるものであり、
前記コードは、前記サーバーにアクセスするための文字列がコード化されたものであり、
前記サーバーは、前記コードを前記文字列に変換して前記サーバーにアクセスした端末からの画像データであって、前記文字列と前記端末の識別情報に関連づけられたものを記録し、
前記画像データは、前記端末が前記文字列に基づいて前記サーバーにアクセスした状態で、前記サーバーに送信されたものであり、且つ、前記封止物に封止される前に撮影して得られた前記被梱包物を被写体とした画像の画像データである、封止物。
【請求項９】
サーバーと、
ネットワークを介して前記サーバーにアクセスするための文字列をコード化したコードを含むコード印刷物とを備え、
前記サーバーは、前記文字列と、前記コードを前記文字列に変換し前記文字列に基づいて前記サーバーにアクセスする端末の識別情報に関連づけた状態で、前記端末からのデータを記録するサーバー記録部を有し、
前記端末からのデータは、前記端末が前記文字列に基づいて前記サーバーにアクセスした状態で、前記サーバーに送信されたものであり、
前記端末には、前記文字列に基づいて前記サーバーにアクセスした状態で、前記サーバー記録部に記録されたデータであって、前記文字列と前記端末の識別情報に関連づけられたものが表示される、データ格納システム。
【請求項１０】
サーバーであって、
ネットワークを介して前記サーバーにアクセスするための文字列をコード化したコードを含むコード印刷物における前記文字列と、前記コードを前記文字列に変換し前記文字列に基づいて前記サーバーにアクセスする端末の識別情報に関連づけた状態で、前記端末からのデータを記録するサーバー記録部を備え、
前記端末からのデータは、前記端末が前記文字列に基づいて前記サーバーにアクセスした状態で、前記サーバーに送信されたものであり、
前記端末には、前記文字列に基づいて前記サーバーにアクセスした状態で、前記サーバー記録部に記録されたデータであって、前記文字列と前記端末の識別情報に関連づけられたものが送信される、サーバー。
【請求項１１】
サーバーと、ネットワークを介して前記サーバーにアクセスするための文字列をコード化したコードを含むコード印刷物と、前記コード印刷物が外部から見える状態で設けられ、被梱包物を封止した状態で収納する封止物とを有するデータ格納システムにおけるデータ格納方法であって、
端末が、前記コードを前記文字列に変換し、前記文字列に基づいて前記サーバーにアクセスする第１ステップと、
前記端末が、前記文字列に基づいて前記サーバーにアクセスした状態で、前記封止物に封止される前の状態の前記被梱包物を被写体とした画像を取得する第２ステップと、
前記端末が、前記画像の画像データを、前記文字列と前記端末の識別情報と関連づけた状態で、前記サーバーに記録させる第３ステップと、
前記端末が、前記文字列に基づいて前記サーバーにアクセスした状態で、前記サーバーに記録した前記画像データに対応する前記画像を表示する第４ステップとを備え、
前記第１ステップと前記第２ステップと前記第３ステップは、前記被梱包物が前記封止物に収納された状態で前記封止物が封止される前段階で行われるものであり、
前記画像データは、前記端末が前記文字列に基づいて前記サーバーにアクセスした状態で、前記サーバーに送信されたものである、データ格納方法。
【請求項１２】
サーバーと、ネットワークを介して前記サーバーにアクセスするための文字列をコード化したコードを含むコード印刷物と、前記コード印刷物が外部から見える状態で設けられ、被梱包物を封止した状態で収納する封止物とを有するデータ格納システムにおける端末にインストールされたデータ格納プログラムであって、
前記端末が、前記文字列に基づいて前記サーバーにアクセスした状態で、前記封止物に封止される前の状態の前記被梱包物を被写体とした画像を前記サーバーに送信するデータ送信ステップと、
前記端末が、前記画像の画像データを、前記文字列と前記端末の識別情報と関連づけた状態で、前記サーバーに記録させるデータ記録ステップと、
前記端末が、前記文字列に基づいて前記サーバーにアクセスした状態で、前記サーバーに記録した前記画像データに対応する前記画像を表示するデータ出力ステップとを実行する、データ格納プログラム。
【発明の詳細な説明】
【技術分野】
【０００１】
本発明は、データ格納システムなどに関する。
【背景技術】
【０００２】
特許文献１などで、二次元コードの読み取り機能を用いたシステムなどが提案されている。
【先行技術文献】
【特許文献】
【０００３】
【特許文献１】特開２００８−００３７０５号公報
【発明の概要】
【発明が解決しようとする課題】
【０００４】
しかしながら、サーバーへのデータの送信は、電子メールなどが使用されるため、操作が煩雑となっていた。
【０００５】
したがって本発明の目的は、簡単にデータをサーバーに格納し、読み出し出来るデータ格納システムなどを提供することである。
【課題を解決するための手段】
【０００６】
本発明に係るデータ格納システムは、サーバーと、ネットワークを介してサーバーにアクセスするための文字列をコード化したコードを含むコード印刷物と、コードを、文字列に変換し、文字列に基づいてサーバーにアクセスする端末とを備え、端末は、文字列に基づいてサーバーにアクセスした状態で、データをサーバーに送信し、サーバーは、文字列と端末の識別情報に関連づけた状態で、端末からのデータを記録するサーバー記録部を有し、端末は、文字列に基づいてサーバーにアクセスした状態で、サーバー記録部に記録されたデータであって、文字列と端末の識別情報に関連づけられたものを出力する出力部を有する。
【０００７】
端末が、ＵＲＬや特定のソフトウエアのログインＩＤなどの文字列に基づいてサーバーにアクセスした状態で、データが端末からサーバーに送信されるので、電子メールに添付した状態で送信するなどの他の形態に比べて、簡単に端末からサーバーにデータを送信することが可能になる。
また、簡単に当該文字列と端末の識別情報を関連づけた状態でデータをサーバーに記録させることが可能になる。
文字列と端末の識別情報と関連づけた状態でデータを記録させることで、識別情報が異なる端末からのアクセスを簡単に制御することが可能になる。
【０００８】
好ましくは、文字列は、端末にインストールされた、サーバーにアクセスするためのソフトウエアのログイン情報を含む。
【０００９】
これにより、サーバーにネットワーク経由でアクセスするための文字列として、ＵＲＬを用いる形態に比べて、第三者に不正にアクセスされるなどのセキュリティ面を強化することが可能になる。
【００１０】
また、好ましくは、コード印刷物は、被梱包物を封止した状態で収納する封止物に、被梱包物を封止した後も外部から見える状態で設けられるものであり、サーバー記録部に記録されるデータは、被梱包物に関する情報である。
【００１１】
さらに好ましくは、サーバー記録部に記録されるデータは、封止物に封止される前に撮影して得られた被梱包物を被写体とした画像の画像データである。
【００１２】
封止状態を解除せずとも、封止物に設けられたコード印刷物のコードをスキャンするだけで、サーバーから封止物の中身を確認出来る画像を端末に表示させることが可能になる。
【００１３】
また、好ましくは、データは、画像データであり、文字列と端末の識別情報に関連づけた状態で、端末からのデータが未だサーバー記録部に記録されていない状態で、端末が文字列に基づいてサーバーにアクセスした場合には、出力部は、スルー画像を優先的に表示し、文字列と端末の識別情報に関連づけた状態で、端末からのデータが既にサーバー記録部に記録されている状態で、端末が文字列に基づいてサーバーにアクセスした場合には、出力部は、サーバー記録された画像データに関する情報を優先的に表示する。
【００１４】
文字列と端末の識別情報とに関連づけた状態でサーバーに記録されたデータが未だ無い場合には、当該文字列に基づいてサーバーにアクセスした後すぐに被梱包物などの撮影を行うことが可能になる。
文字列と端末の識別情報とに関連づけた状態でサーバーに記憶された画像データが既にある場合には、当該文字列に基づいてサーバーにアクセスした後すぐに被梱包物などの画像を表示させることが可能になる。
【００１５】
また、好ましくは、端末とは別の端末は、端末からサーバーを介して許可情報を受けた場合に、コードを読み取った状態で、サーバー記録部に記録されたデータであって、文字列と端末の識別情報に関連づけられたものを出力する。
【００１６】
当該コードに対応する文字列に基づくサーバーへのアクセスは、最初に当該コードを読み取り、対応する文字列に基づいてサーバーにアクセスした端末に限定される。
このため、他の端末が当該文字列に基づいてサーバーにアクセスしても、サーバーからデータを当該他の端末に出力させることは出来ない。
ただし、最初に当該文字列に基づいてサーバーにアクセスした端末でアクセスを許可する操作が行われた場合には、当該他の端末にサーバーからデータを出力させることが出来る。
【００１７】
さらに好ましくは、許可情報を受ける前に、別の端末からサーバーを介して端末に、別の端末の電話番号と使用者名称の少なくとも一方に関する情報が送信される。
【００１８】
他の端末の使用者が、当該文字列に基づくサーバーへの許可を認めるか否かの判断がしやすくなる。
【００１９】
本発明に係る封止物は、ネットワークを介してサーバーにアクセスするための文字列をコード化したコードを含むコード印刷物が設けられ、被梱包物を封止した状態で収納する封止物であって、コード印刷物は、被梱包物を封止した後も外部から見える状態で設けられるものであり、コードは、サーバーにアクセスするための文字列がコード化されたものであり、サーバーは、コードを文字列に変換してサーバーにアクセスした端末からの画像データであって、文字列と端末の識別情報に関連づけられたものを記録し、画像データは、端末が文字列に基づいてサーバーにアクセスした状態で、サーバーに送信されたものであり、且つ、封止物に封止される前に撮影して得られた被梱包物を被写体とした画像の画像データである。
【００２０】
本発明に係るデータ格納システムは、サーバーと、ネットワークを介してサーバーにアクセスするための文字列をコード化したコードを含むコード印刷物とを備え、サーバーは、文字列と、コードを文字列に変換し文字列に基づいてサーバーにアクセスする端末の識別情報に関連づけた状態で、端末からのデータを記録するサーバー記録部を有し、端末からのデータは、端末が文字列に基づいてサーバーにアクセスした状態で、サーバーに送信されたものであり、端末には、文字列に基づいてサーバーにアクセスした状態で、サーバー記録部に記録されたデータであって、文字列と端末の識別情報に関連づけられたものが表示される。
【００２１】
本発明に係るサーバーは、ネットワークを介してサーバーにアクセスするための文字列をコード化したコードを含むコード印刷物における文字列と、コードを文字列に変換し文字列に基づいてサーバーにアクセスする端末の識別情報に関連づけた状態で、端末からのデータを記録するサーバー記録部を備え、端末からのデータは、端末が文字列に基づいてサーバーにアクセスした状態で、サーバーに送信されたものであり、端末には、文字列に基づいてサーバーにアクセスした状態で、サーバー記録部に記録されたデータであって、文字列と端末の識別情報に関連づけられたものが送信される。
【００２２】
本発明に係るデータ格納方法は、サーバーと、ネットワークを介してサーバーにアクセスするための文字列をコード化したコードを含むコード印刷物と、コード印刷物が外部から見える状態で設けられ、被梱包物を封止した状態で収納する封止物とを有するデータ格納システムにおけるデータ格納方法であって、端末が、コードを文字列に変換し、文字列に基づいてサーバーにアクセスする第１ステップと、端末が、文字列に基づいてサーバーにアクセスした状態で、封止物に封止される前の状態の被梱包物を被写体とした画像を取得する第２ステップと、端末が、画像の画像データを、文字列と端末の識別情報と関連づけた状態で、サーバーに記録させる第３ステップと、端末が、文字列に基づいてサーバーにアクセスした状態で、サーバーに記録した画像データに対応する画像を表示する第４ステップとを備え、第１ステップと第２ステップと第３ステップは、被梱包物が封止物に収納された状態で封止物が封止される前段階で行われるものであり、画像データは、端末が文字列に基づいてサーバーにアクセスした状態で、サーバーに送信されたものである。
【００２３】
本発明に係るデータ格納プログラムは、サーバーと、ネットワークを介してサーバーにアクセスするための文字列をコード化したコードを含むコード印刷物と、コード印刷物が外部から見える状態で設けられ、被梱包物を封止した状態で収納する封止物とを有するデータ格納システムにおける端末にインストールされたデータ格納プログラムであって、端末が、文字列に基づいてサーバーにアクセスした状態で、封止物に封止される前の状態の被梱包物を被写体とした画像をサーバーに送信するデータ送信ステップと、端末が、画像の画像データを、文字列と端末の識別情報と関連づけた状態で、サーバーに記録させるデータ記録ステップと、端末が、文字列に基づいてサーバーにアクセスした状態で、サーバーに記録した画像データに対応する画像を表示するデータ出力ステップとを実行する。
【発明の効果】
【００２４】
以上のように本発明によれば、簡単にデータをサーバーに格納し、読み出し出来るデータ格納システムなどを提供することができる。
【図面の簡単な説明】
【００２５】
【図１】本実施形態におけるデータ格納システムの構成図である。
【図２】サーバー記録部に記録される、ＵＲＬと端末の識別情報と画像データの関係を示すデータベースの例である。
【図３】第１端末の動作手順を示すフローチャートである。
【図４】第１画面の表示例である。
【図５】第２画面の表示例である。
【図６】第３画面の表示例で、２番目の画像が選択された状態を示す図である。
【図７】第３画面の表示例で、１番目の画像が選択された状態を示す図である。
【図８】第４画面の表示例である。
【図９】第５画面の表示例である。
【図１０】第２画面の表示例で、許可メッセージを含むものを示す図である。
【図１１】第６画面の表示例である。
【発明を実施するための形態】
【００２６】
以下、本実施形態について、図を用いて説明する。
なお、実施形態は、以下の実施形態に限られるものではない。また、一つの実施形態に記載した内容は、原則として他の実施形態にも同様に適用される。また、各実施形態及び各変形例は、適宜組み合わせることが出来る。
【００２７】
本実施形態におけるデータ格納システム１は、封止物１０、コード印刷物２０、第１端末３１、第２端末３２、サーバー４０を備える（図１〜図１１参照）。
【００２８】
封止物１０は、内部に被梱包物を収納し、収納後に封止される、箱や封筒などの梱包物である。
本実施形態では、封止物１０が、ランドセルを被梱包物として収納する箱であるとして説明する。
【００２９】
コード印刷物２０は、サーバー４０の特定領域へアクセスするためのＵＲＬに関する情報を含む二次元コード（例えば、ＱＲコード（登録商標））が印刷されたものであり、封止物１０の外側面（例えば、上面）など、封止物１０が被梱包物を収納して封止した後も、外部から見える箇所に、貼り付けなどで取り付けられる。
また、封止物１０における透明で中身が見える箇所の内側に配置されるなど、外部から見える状態であれば、封止物１０の内側に設けられる形態であってもよい。
なお、コード印刷物２０は、封止物１０の表面に貼り付けられる形態に限らず、封止物１０の表面に直接印刷される形態であってもよい。
【００３０】
第１端末３１は、第１撮像部３１ａ、第１通信部３１ｂ、第１記録部３１ｃ、第１出力部３１ｄ、及び第１制御部３１ｅを有する。
【００３１】
第１撮像部３１ａは、撮影を行ったり、コード印刷物２０の二次元コードを読み取ったりする。
【００３２】
第１通信部３１ｂは、第１撮像部３１ａで読み取った二次元コードに対応するＵＲＬに基づいてサーバー４０にアクセスし、当該ＵＲＬ及び第１端末３１の識別情報と関連づけた状態で、第１撮像部３１ａで得られた画像の画像データを送信したり、当該ＵＲＬ及び当該識別情報と関連づけられた画像データに対応する画像を第１端末３１に表示させるための情報をサーバー４０から受信したりする。
【００３３】
第１端末３１の識別情報は、ＩＭＥＩ（international Mobile Equipment Identity）、ＩＣＣＩＤ（Integrated Circuit Card ID）、ＭＥＩＤ（Mobile Equipment IDentifier）、ＩＭＳＩ（International Mobile Subscriber Identity）などであり、第１端末３１の本体に付与された固有の番号であってもよいし、第１端末３１の本体に取り付けられたＳＩＭカードに付与された固有の番号であってもよい。
【００３４】
第１記録部３１ｃには、データ格納プログラムがインストールされる。
データ格納プログラムは、第１ステップ〜第４ステップを実行する。
【００３５】
第１ステップ（サーバーアクセスステップ）では、第１撮像部３１ａを使った二次元コードの読み取りと、第１通信部３１ｂを使った当該二次元コードに対応するＵＲＬに基づいたサーバー４０へのアクセスが行われる。
【００３６】
第２ステップ（データ取得ステップ）では、当該ＵＲＬに基づいてサーバー４０にアクセスした状態で、封止物１０に封止される前の状態の被梱包物を被写体とした画像の第１撮像部３１ａによる取得が行われる。
【００３７】
第３ステップ（データ送信ステップ、データ記録ステップ）では、第１端末３１が当該ＵＲＬに基づいてサーバー４０にアクセスした状態で、第２ステップで第１撮像部３１ａが取得した画像の画像データが、サーバー４０に送信され、サーバー記録部４０ｃに当該画像データが当該ＵＲＬと第１端末３１の識別情報と関連づけられた状態で記録される。
【００３８】
第１端末３１が、当該ＵＲＬに基づいてサーバー４０にアクセスした状態で、画像データが第１端末３１からサーバー４０に送信されるので、電子メールに添付した状態で送信するなどの他の形態に比べて、簡単に端末からサーバー４０に画像データを送信することが可能になる。
また、簡単に当該ＵＲＬと端末の識別情報を関連づけた状態で画像データをサーバー４０に記録させることが可能になる。
ＵＲＬと端末の識別情報と関連づけた状態で画像データを記録させることで、識別情報が異なる端末からのアクセスを簡単に制御することが可能になる。
【００３９】
第４ステップ（データ出力ステップ）では、被梱包物が封止物１０に封止された後であって、第１端末が、当該ＵＲＬに基づいてサーバー４０にアクセスした状態で、サーバー４０に記録した画像データに対応する画像を第１出力部３１ｄが表示する。
【００４０】
第１出力部３１ｄは、データ格納プログラムに関連する情報（二次元コード読み取り用の第１画面Ｐ１（図４参照）、画像データ取得用の第２画面Ｐ２（図５、図１０参照）、記録画像表示用の第３画面Ｐ３（図６、図７参照）、アクセス許可待ち状態表示用の第４画面Ｐ４（図８参照）、アクセス許可依頼表示用の第５画面Ｐ５（図９参照）、及びアクセス不許可通知用の第６画面Ｐ６（図１１参照など）を表示する。
【００４１】
第１制御部３１ｅは、第１端末３１の各部を制御する。
【００４２】
データ格納プログラムは、第１記録部３１ｃにインストールされるものであってもよいし、ブラウザ上で動作するものであってもよい。
例えば、既存の二次元コード読み取り用のソフトウエアを使って、二次元コードを読み取りし、二次元コードに対応するＵＲＬに基づいてサーバー４０にアクセスした場合は、ブラウザ上で、第２画面Ｐ２〜第６画面Ｐ６を表示する形態であってもよい。
この場合には、データ格納プログラムは、第１撮像部３１ａを使った二次元コードの読み取りに関する機能（第１ステップ）を含まなくてもよい。
【００４３】
第２端末３２は、第１端末３１と同様に、第２撮像部３２ａ、第２通信部３２ｂ、第２記録部３２ｃ、第２出力部３２ｄ、及び第２制御部３２ｅを有する。
【００４４】
サーバー４０は、サーバー通信部４０ｂ、サーバー記録部４０ｃ、サーバー制御部４０ｅを有する。
【００４５】
サーバー通信部４０ｂは、第１端末３１と通信し、第１端末３１から画像データを受信したり、第１端末３１に画像データに対応する画像を表示させるための情報を送信したりする。
【００４６】
サーバー記録部４０ｃは、第１端末３１から送られてきた画像データを記録する。
画像データは、コード印刷物２０に含まれる二次元コードに対応するＵＲＬ及び送信した第１端末３１の識別情報と関連づけた状態で、サーバー記録部４０ｃに記録される（図２参照）。
【００４７】
図２は、サーバー記録部４０ｃに、第１の二次元コードに対応するＵＲＬ（http://www.aaa.com/bbb）と、端末の識別情報（8981 1000 2353 3781 179）とに関連づけられて、２つの画像データ（Abc.jpgとDee.tif）が記録され、第２の二次元コードに対応するＵＲＬ（http:/www.aaa.coom/bac）と、端末の識別情報（8981 1000 5270 0119 194）とに関連づけられて、１つの画像データ（Leis.jpg）が記録され、第３の二次元コードに対応するＵＲＬ（http://www.aaa.com/beg）と、端末の識別情報（8981 1000 2215 2967 705）とに関連づけられて、画像データが記録されておらず、第４の二次元コードに対応するＵＲＬ（http://www.aaa.com/ppi）には、対応する端末の識別情報が設定されていない例を示す。
なお、画像データには、撮影日時が記録されているが、図２では撮影日時に関する情報を省略している。
【００４８】
また、本実施形態では、第１端末３１の識別情報が（8981 1000 2353 3781 179）であり、第１端末３１が第１の二次元コードを読み取って、対応するＵＲＬ（http://www.aaa.com/bbb）と当該識別情報とに関連づけた状態で、１番目の画像データ（Abc.jpg）と、２番目の画像データ（Dee.tif）とをサーバー記録部４０ｃに記録された例を示す。
【００４９】
また、サーバー記録部４０ｃには、第１端末３１から送信された画像データを当該ＵＲＬや当該識別情報に関連づけた状態でサーバー記録部４０ｃに記録させたり、当該ＵＲＬや当該識別情報に関連づけた画像データに対応する画像を第１端末３１に表示させたりするためのサーバー用データ格納プログラムがインストールされている。
【００５０】
サーバー制御部４０ｅは、サーバー４０の各部を制御する。
【００５１】
サーバー記録部４０ｃに記録される画像データは、二次元コードに対応するＵＲＬ及び、二次元コードを読み取り且つ画像データを送信した端末の識別情報に関連づけられている。
このため、当該二次元コードを読み取らない状態では、サーバー４０から当該画像データに関連する情報を取得することが出来ない。
また、画像データを送信した第１端末３１とは別の端末（第２端末３２）では、サーバー４０から当該画像データに関連する情報を取得することが出来ない。
【００５２】
すなわち、最初に二次元コードに対応するＵＲＬに基づいてサーバー４０にアクセスして、画像データをサーバー４０にアップロードした端末（ここでは、第１端末３２）だけが、当該二次元コードを介して、サーバー４０に画像データをアップロードしたり、サーバー４０から画像データに関連する情報をダウンロードしたりすることが出来る。
【００５３】
ただし、第２端末３２が、二次元コードを読み取って、当該二次元コードに対応するＵＲＬに基づいてサーバー４０にアクセスした場合には、サーバー４０は、第１端末３２に「第２端末３２からのアクセスを許可するか否か」を促す画面表示（第５画面Ｐ５、図９参照）を行わせ、許可に関する操作が行われた場合に、第２端末３２は、サーバー４０から当該画像データ（当該ＵＲＬと第１端末３１の識別情報に関連づけられたもの）に関する情報を取得することが出来る。
【００５４】
なお、サーバー４０にアクセスするための情報は、ＵＲＬに限定するものではなく、ＩＰアドレスなど、サーバー４０にネットワーク経由でアクセスするための他の文字列であってもよい。
例えば、当該他の文字列として、第１端末３１にインストールされた特定のソフトウエアで、ネットワーク経由でサーバー４０にアクセスするため、当該特定のソフトウエアを立ち上げ、及び当該特定のソフトウエアのログイン情報（ＩＤやパスワード）を入力するためのプログラムを含む文字列が考えられる。
この場合、画像データは、コード印刷物２０に含まれる二次元コードに対応するログイン情報など及び送信した第１端末３１の識別情報と関連づけた状態で、サーバー記録部４０ｃに記録される。
これにより、サーバー４０にネットワーク経由でアクセスするための文字列として、ＵＲＬを用いる形態に比べて、第三者に不正にアクセスされるなどのセキュリティ面を強化することが可能になる。
【００５５】
次に、第１端末３１における動作手順を、図３のフローチャートを用いて説明する。
【００５６】
使用者が、第１記録部３１ｃにインストールされたデータ格納プログラムを立ち上げると、第１制御部３１ｅは、ステップＳ１１で、第１撮像部３１ａをオン状態にし、第１出力部３１ｄに、第１画面Ｐ１の表示を行わせる（図４参照）。
【００５７】
第１画面Ｐ１は、第１スルー画像表示領域Ｐ１ａと、第１スルー画像表示領域Ｐ１ａ内に撮影対象の二次元コードを配置させる旨の第１メッセージＰ１ｂを含む。
第１スルー画像表示領域Ｐ１ａでは、第１撮像部３１ａで一定時間（例えば、３０ｍｓｅｃ）ごとに撮影した画像（スルー画像）が表示される。
【００５８】
第１画面Ｐ１の表示が行われた状態で、第１撮像部３１ａを介して、封止物１０に貼り付けられたコード印刷物２０の二次元コードを撮影すると、第１制御部３１ｅは、ステップＳ１２で、第１通信部３１ｂに、当該二次元コードに対応するＵＲＬに基づいてサーバー４０にアクセスさせる（第１ステップ、サーバーアクセスステップ）。
第１通信部３１ｂは、コード印刷物２０の二次元コードに対応するＵＲＬに関する情報と、第１端末３１の識別情報を、サーバー通信部４０ｂに送信する。
【００５９】
第１端末３１が、当該二次元コードに対応するＵＲＬに基づいてサーバー４０にアクセスした状態は、後述するステップＳ１３〜１６が行われる間、維持される。
【００６０】
サーバー制御部４０ｅは、第１端末３１から送信された情報に基づいて、コード印刷物２０の二次元コードに対応するＵＲＬに関する情報が、他の端末の識別情報との組み合わせで、サーバー記録部４０ｃに既に記録されているか否かを判断する。
当該ＵＲＬに関する情報が、他の端末の識別情報との組み合わせで、サーバー記録部４０ｃに未だ記録されていない場合は、当該ＵＲＬが未使用状態であるとして、サーバー制御部４０ｅは、第１端末３１で読み取った二次元コードに対応するＵＲＬに関する情報と、第１端末３１の識別情報との組み合わせを、サーバー記録部４０ｃに記録させる。
また、サーバー制御部４０ｅは、第１端末３１に対して当該ＵＲＬに基づくサーバー４０へのアクセスを許可する旨の情報を、サーバー通信部４０ｂに送信させる。
【００６１】
当該ＵＲＬに関する情報が、他の端末の識別情報との組み合わせで、サーバー記録部４０ｃに既に記録されている場合は、当該ＵＲＬが既使用状態であるとして、サーバー制御部４０ｅは、第１端末３１に対して当該ＵＲＬに基づくサーバー４０へのアクセス許可の確認中である旨の情報（図８参照）を、サーバー通信部４０ｂに送信させ、当該他の端末に対して第１端末３１からの当該ＵＲＬに基づくサーバー４０へのアクセスを許可するかを確認する旨の情報を、サーバー通信部４０ｂに送信させる（図９参照）。
図８の第４画面Ｐ４、及び図９の第５画面Ｐ５の詳細については、後述する。
【００６２】
第１制御部３１ｅは、ステップＳ１３で、サーバー通信部４０ｂから送られてきた応答に基づいて、当該ＵＲＬが未使用状態のものか既使用状態のものかを判断する。
第１通信部３１ｂが、サーバー４０から、当該応答として、当該ＵＲＬに基づくサーバー４０へのアクセスを許可する旨の情報を受信した場合は、第１制御部３１ｅは、当該ＵＲＬが未使用状態であると判断し、ステップＳ１４に進められる。
第１通信部３１ｂが、サーバー４０から、当該応答として、当該ＵＲＬに基づくサーバー４０へのアクセス許可の確認中である旨の情報を受信した場合は、第１制御部３１ｅは、当該ＵＲＬが既使用状態であると判断し、ステップＳ１５に進められる。
【００６３】
第１制御部３１ｅは、ステップＳ１４で、第１撮像部３１ａのオン状態を維持し、第１出力部３１ｄに、第２画面Ｐ２の表示を行わせる（図５参照）。
第２画面Ｐ２は、スルー画像を表示する第２スルー画像表示領域Ｐ２ａと、第１画像一覧表示領域Ｐ２ｂを含む。
第１画像一覧表示領域Ｐ２ｂは、当該ＵＲＬ及び第１端末３１の識別情報と関連づけた状態で、サーバー記録部４０ｃに記録済みの画像データを一覧表示する領域である。
【００６４】
図５は、記録済みの画像データが１つ（２０１８年８月８日１０時２分撮影）ある例、すなわち、１番目の画像データ（Abc.jpg）だけが記録され、２番目の画像データ（Dee.tif）が未だ記録されていない状態の例を示す。
【００６５】
第２画面Ｐ２には、撮影ボタンＰ２ｃが設けられる。
本実施形態では、撮影ボタンＰ２ｃは、第２スルー画像表示領域Ｐ２ａの内側に設けられるが、他の場所に設けられる形態であってもよいし、第２画面Ｐ２上ではなく、第１端末３１に設けられた所定のボタンが、撮影ボタンＰ２ｃとして用いられる形態であってもよい。
使用者によって、撮影ボタンＰ２ｃが操作されると、その時点で第２スルー画像表示領域Ｐ２ａに表示されている画像の画像データが、第１通信部３１ｂからサーバー４０に送信される（第２ステップ、データ送信ステップ）。
【００６６】
第１端末３１から画像データを受信すると、サーバー制御部４０ｅは、当該画像データを、当該ＵＲＬと第１端末３１の識別情報と関連づけた状態で、サーバー記録部４０ｃに記録させる（第３ステップ、データ記録ステップ）。
【００６７】
また、第１制御部３１ｅは、第１撮像部３１ａをオフ状態にし、第１出力部３１ｄによる表示を第２画面Ｐ２から第３画面Ｐ３に切り替えさせる（図６参照）。
第３画面Ｐ３は、記録済みの画像の中から選択された画像を表示する選択画像表示領域Ｐ３ａと、第２画像一覧表示領域Ｐ３ｂを含む。
第２画像一覧表示領域Ｐ３ｂは、当該ＵＲＬ及び第１端末３１の識別情報と関連づけた状態で、サーバー記録部４０ｃに記録済みの画像データを一覧表示する領域で、選択画像表示領域Ｐ３ａで表示されている画像に関する領域が強調されて表示される（第４ステップ、データ出力ステップ）。
【００６８】
また、第３画面Ｐ３には、第１画面Ｐ１の表示に切り替えるための切替ボタンＰ３ｃが設けられる。
本実施形態では、切替ボタンＰ３ｃは、第２画像一覧表示領域Ｐ３ｂの内側に設けられるが、他の場所に設けられる形態であってもよい。
使用者によって、切替ボタンＰ３ｃが操作されると、第１制御部３１ｅは、第１撮像部３１ａをオン状態にし、第１出力部３１ｄによる表示を第３画面Ｐ３から第２画面Ｐ２に切り替えさせる。
【００６９】
図６は、選択画像表示領域Ｐ３ａに、２番目に記録された画像が表示され、第２画像一覧表示領域Ｐ３ｂには、記録済みの画像データが２つ（１番目：２０１８年８月８日１０時２分撮影、２番目：２０１８年８月８日１０時４分撮影）あり、選択画面表示領域Ｐ３ａに表示中の２番目の情報を含む領域が枠で強調された例を示す。
【００７０】
なお、ステップＳ１４で、最初に表示する画面は、第２画面Ｐ２に限るものではなく、第３画面Ｐ３であってもよい。
【００７１】
特に、サーバー記録部４０ｃに画像データが記録されているか否かに基づいて、優先的に、すなわち最初に表示する画面を第２画面Ｐ２と第３画面Ｐ３とで切り替える形態であってもよい。
具体的には、当該ＵＲＬと第１端末３１の識別情報とに関連づけた状態でサーバー記録部４０ｃに記録された画像データが未だ無い場合には、ステップＳ１４では、第２画面Ｐ２が最初に表示される。
これにより、当該ＵＲＬに基づいてサーバー４０にアクセスした後すぐに被梱包物などの撮影を行うことが可能になる。
また、当該ＵＲＬと第１端末３１の識別情報とに関連づけた状態でサーバー記録部４０ｃに記憶された画像データが既にある場合には、ステップＳ１４では、第３画面Ｐ３が最初に表示される。
これにより、当該ＵＲＬに基づいてサーバー４０にアクセスした後すぐに被梱包物などの画像を表示させることが可能になる。
【００７２】
また、第２画像一覧表示領域Ｐ３ｂにおける記録済みの画像に関する情報を含む領域が使用者によって操作されると、選択画像が切り替えられる（図７参照）。
図７は、図６の状態で、第２画像一覧表示領域Ｐ３ｂにおける１番目に記録された画像に関する情報を含む領域が使用者によって操作され、選択画像が２番目に記録された画像から１番目に記録された画像に切り替えられた例を示す。
【００７３】
第１制御部３１ｅは、ステップＳ１５で、第１出力部３１ｄに、第４画面Ｐ４の表示を行わせる（図８参照）。
また、第１制御部３１ｅは、他の端末からサーバー４０を介してアクセス許可に関する情報を第１通信部３１ｂが受信したか否かを判断する。
ただし、他の端末からサーバー４０を介してアクセス許可に関する情報を第１制御部３１ｅが待つ間、第１制御部３１ｅは、本処理を一旦保留の状態にして、他の処理に遷移させる形態が望ましい。
【００７４】
第４画面Ｐ４は、当該ＵＲＬに基づくサーバー４０へのアクセスの許可について、最初に当該ＵＲＬに基づくサーバー４０へアクセスした端末（の使用者）に確認中であることを示す第２メッセージＰ４ａが含まれる。
また、他の端末の制御部は、サーバー４０から受信した、第１端末３１からの当該ＵＲＬに基づくサーバー４０へのアクセスを許可するかを確認する旨の許可依頼情報を含む第５画面Ｐ５を、他の端末の出力部に表示させる（図９参照）。
【００７５】
第５画面Ｐ５は、許可ボタンＰ５ａと、拒否ボタンＰ５ｂを有する。
第５画面Ｐ５は、他の画面表示から切り替えて表示される形態であってもよいし、他の画面表示の上に割り込む形で表示される形態であってもよい。
図９は、第２端末３２が当該他の端末であるとして、第２出力部３２ｄが第３画面Ｐ３の上に重畳して、第５画面Ｐ５を表示する例を示す。
【００７６】
許可依頼情報に含まれるメッセージにおいて、第１端末３１の使用者に関する情報には、第１端末３１の電話番号、第１端末３１の使用者名称などが含まれるのが望ましい。
この場合には、第１端末３１からサーバー４０に、第１端末３１の識別情報を送信する際に、第１端末３１に記録された電話番号や使用者名称に関する情報も、サーバー４０に送信される。
これにより、他の端末（ここでは、第２端末３２）の使用者が、当該ＵＲＬに基づくサーバー４０への許可を認めるか否かの判断がしやすくなる。
【００７７】
第２端末３２の使用者によって、許可ボタンＰ５ａが操作されると、第２制御部３２ｅは、サーバー４０に対して、第１端末３１から当該ＵＲＬに基づくサーバー４０へのアクセスを許可する旨の情報（許可情報）を、第２通信部３２ｂに送信させる。
サーバー４０が当該許可情報を受信すると、サーバー制御部４０ｅは、第１端末３１に対して、当該許可情報を、サーバー通信部４０ｂに送信させる。
第１端末３１が当該許可情報を受信すると、第１制御部３１ｅは、ステップＳ１４で、第１出力部３１ｄによる表示を第４画面Ｐ４から第２画面Ｐ２に切り替えさせる（図１０参照）。
この場合、第２画面Ｐ２には、アクセス許可が得られた旨のメッセージ（許可メッセージ）Ｐ２ｄが設けられるのが望ましい。
【００７８】
第２端末３２の使用者によって、拒否ボタンＰ５ｂが操作されると、第２制御部３２ｅは、サーバー４０に対して、第１端末３１から当該ＵＲＬに基づくサーバー４０へのアクセスを拒否する旨の情報（拒否情報）を、第２通信部３２ｂに送信させる。
サーバー４０が当該拒否情報を受信すると、サーバー制御部４０ｅは、第１端末３１に対して、当該拒否情報を、サーバー通信部４０ｂに送信させる。
第１端末３１が当該拒否情報を受信すると、第１制御部３１ｅは、ステップＳ１６で、第１出力部３１ｄによる表示を第４画面Ｐ４から第６画面Ｐ６に切り替えさせる（図１１参照）。
第６画面Ｐ６は、第１端末３１から当該ＵＲＬに基づくサーバー４０へのアクセス許可が認められなかった旨のメッセージ（不許可メッセージ）Ｐ６ａを有する。
【００７９】
本実施形態におけるコード印刷物２０を貼った封止物１０に、被梱包物を収納して封止する前段階で、第１ステップ〜第３ステップが実行され、被梱包物を撮影した画像の画像データが、コード印刷物２０の二次元コードに対応するＵＲＬと撮影した端末（ここでは、第１端末３１）と関連づけた状態で、サーバー記録部４０ｃに記録される。
当該被梱包物の撮影の後に、被梱包物が収納された状態で封止物１０の封止が行われる。
コード印刷物２０の封止物１０への貼り付けは、封止前に行われてもよいし、封止後に行われてもよい。
【００８０】
通常は、封止状態を解除しなければ、封止物１０の中身を知ることが出来ない。
【００８１】
本実施形態では、封止状態を解除せずとも、封止物１０に貼り付けられたコード印刷物２０の二次元コードをスキャンするだけで、サーバー４０から封止物１０の中身を確認出来る画像を端末に表示させることが可能になる。
【００８２】
当該二次元コードに対応する文字列に基づくサーバー４０へのアクセスは、最初に当該二次元コードを読み取り、対応する文字列に基づいてサーバー４０にアクセスした端末に限定される。
このため、他の端末が当該文字列に基づいてサーバー４０にアクセスしても、サーバー４０から封止物１０の中身を確認出来る画像を当該他の端末に表示させることは出来ない。
ただし、最初に当該文字列に基づいてサーバー４０にアクセスした端末でアクセスを許可する操作が行われた場合には、当該他の端末にサーバー４０から封止物１０の中身を確認出来る画像を表示させることが出来る。
【００８３】
なお、本実施形態では、コード印刷物２０に含まれるコードが二次元コードであるとして説明したが、バーコードなどの一次元コードであってもよい。
すなわち、コード印刷物２０に含まれるコードは、端末の撮像部で撮影し、画像処理で文字列などに変換可能な図形に相当する。
【００８４】
また、サーバー４０にアクセスするための文字列と端末の識別情報とに関連づけて記録するデータが、端末の撮像部で撮影した画像の画像データであるとして説明したが、これに限定するものではない。
例えば、被梱包物の内容を説明するコンテンツを含む音声データや文書データであってもよい。
データが音声データの場合には、端末の出力部は当該音声データを出力するスピーカーなどを有する。
また、予め、端末に記録されたデータが、サーバー４０にアクセスするための文字列と端末の識別情報と関連づけた状態で、サーバー記録部４０ｃに記録される形態であってもよい。
【００８５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８６】
１  データ格納システム
１０  封止物
２０  コード印刷物
３１、３２  第１端末、第２端末
３１ａ、３２ａ  第１撮像部、第２撮像部
３１ｂ、３２ｂ  第１通信部、第２通信部
３１ｃ、３２ｃ  第１記録部、第２記録部
３１ｄ、３２ｄ  第１出力部、第２出力部
３１ｅ、３２ｅ  第１制御部、第２制御部
４０  サーバー
４０ｂ  サーバー通信部
４０ｃ  サーバー記録部
４０ｅ  サーバー制御部
Ｐ１〜Ｐ６  第１画面〜第６画面
Ｐ１ａ  第１スルー画像表示領域
Ｐ１ｂ  第１メッセージ
Ｐ２ａ  第２スルー画像表示領域
Ｐ２ｂ  第１画像一覧表示領域
Ｐ２ｃ  撮影ボタン
Ｐ２ｄ  許可メッセージ
Ｐ３ａ  選択画像表示領域
Ｐ３ｂ  第２画像一覧表示領域
Ｐ３ｃ  切替ボタン
Ｐ４ａ  第２メッセージ
Ｐ５ａ  許可ボタン
Ｐ５ｂ  拒否ボタン
Ｐ６ａ  不許可メッセージ
【図１】
2020064431.tif 000003
【図２】
2020064431.tif 000004
【図３】
2020064431.tif 000005
【図４】
2020064431.tif 000006
【図５】
2020064431.tif 000007
【図６】
2020064431.tif 000008
【図７】
2020064431.tif 000009
【図８】
2020064431.tif 000010
【図９】
2020064431.tif 000011
【図１０】
2020064431.tif 000012
【図１１】
2020064431.tif 000013